(57)【要約】【課題】より簡便に取り扱えて良好な吸音性能を得られるウインドスクリーンを提供する。【解決手段】ウインドスクリーン２０は、マイク付き録音装置１の筐体２に対して回動可能に設けられてマイクの外側を覆うカバー部２１と、カバー部２１を貫通する穴２５を覆う吸音部材２２と、を備え、カバー部２１は、その回動角度に応じて吸音部材２２が設けられた長辺側又は吸音部材２２が設けられていない短辺側の少なくともいずれか一方によってマイクを覆うとともに所定の角度で筐体２を支持する。【選択図】図３
2010124288.tif 000002
【特許請求の範囲】
【請求項１】
マイクを有する筐体に対して回動可能に設けられてマイクの外側を覆うカバー部を備え、
前記カバー部は、当該カバー部を貫通する第１の開口部および前記第１の開口部を覆う吸音部材を備え、
前記カバー部は、その回動角度に応じて前記吸音部材が設けられた部分又は前記吸音部材が設けられていない部分の少なくともいずれか一方によって前記マイクを覆うとともに、設置面に前記筐体が載置されたときに所定の回動角度で当該筐体を支持することを特徴とするウインドスクリーン。
【請求項２】
前記カバー部は、前記吸音部材が設けられた部分が前記マイクを覆う回動角度の場合に前記筐体を支持し、その支持状態では、その他の回転角度の場合に比べて、前記マイクを前記設置面からより離隔した位置に保持することを特徴とする請求項１に記載のウインドスクリーン。
【請求項３】
前記カバー部は、当該カバーを貫通して前記吸音部材に覆われていない第２の開口部を有し、
前記カバー部は、その回動角度に応じて前記第２の開口部を有する部分によって前記マイクを覆うことを特徴とする請求項１又は２に記載のウインドスクリーン。
【請求項４】
前記第１の開口部及び前記吸音部材は前記カバー部に複数設けられ、
複数の前記吸音部材はそれぞれ吸音性能が異なる複数種類の吸音部材であり、
前記カバー部は、その回動角度に応じて異なる種類の吸音部材が設けられた部分によって前記マイクを覆うことを特徴とする請求項１から３のいずれか一項に記載のウインドスクリーン。
【請求項５】
前記マイクは、前記筐体の端部に設けられており、
前記カバー部は、断面略Ｌ字状に折曲した形状を有し、当該カバー部の折曲方向に回動可能に前記筐体に取り付けられ、断面略Ｌ字状の一方の辺に前記吸音部材が設けられていることを特徴とする請求項１から３のいずれか一項に記載のウインドスクリーン。
【発明の詳細な説明】
【技術分野】
【０００１】
本発明は、ウインドスクリーンに関する。
【背景技術】
【０００２】
マイクやマイクを有する録音装置等において、マイクに対して風が吹き付けることによって生ずるノイズ（風切り音）を抑止するためにマイクをウインドスクリーンで覆うことが行われている。一般的に、ウインドスクリーンは吸音性を有する部材（例えば発泡ウレタンやフェイクファー等）によってマイクを覆うものであり、マイクに対して着脱可能に設けられる（例えば特許文献１）。
【特許文献１】特開２００５−３４７９８４号公報
【発明の開示】
【発明が解決しようとする課題】
【０００３】
しかしながら、特許文献１のウインドスクリーンはマイクから独立した部材として設けられている。つまり、屋内での録音時等、ウインドスクリーンを使用しない場合においてウインドスクリーンはマイクから取り外された状態となる。このため、マイクから取り外したウインドスクリーンを紛失することがある。分離独立したウインドスクリーンを紛失する可能性は、ウインドスクリーンの紛失によってマイクのノイズを抑止する手段を喪失する可能性の発生に加え、ウインドスクリーンを紛失しないための注意を払う負担をマイクの使用者に生じさせる。
さらに、特許文献１のウインドスクリーンは、ウインドスクリーンの着脱に時間がかかるため、即時の録音を要求する場合において録音の機会を逸することがある。
【０００４】
加えて、特許文献１のウインドスクリーンは、吸音性能が必ずしも一定とならない。何故ならば、ウインドスクリーンに設けられた凹部に対してマイクを嵌め込むものであるため、凹部に対するマイクの嵌め込み深度によってマイクに対するウインドスクリーンの位置が変化する。このため、マイクをウインドスクリーンの凹部の奥まで嵌め込むことを怠った場合、ウインドスクリーンは所定の性能を発揮できない。
【０００５】
本発明は、より簡便に取り扱えて良好な吸音性能を得られるウインドスクリーンを提供することを目的とする。
【課題を解決するための手段】
【０００６】
請求項１記載の発明によるウインドスクリーンは、マイクを有する筐体に対して回動可能に設けられてマイクの外側を覆うカバー部を備え、前記カバー部は、当該カバー部を貫通する第１の開口部および前記第１の開口部を覆う吸音部材を備え、前記カバー部は、その回動角度に応じて前記吸音部材が設けられた部分又は前記吸音部材が設けられていない部分の少なくともいずれか一方によって前記マイクを覆うとともに、設置面に前記筐体が載置されたときに所定の回動角度で当該筐体を支持することを特徴とする。
【０００７】
請求項２記載の発明は、請求項１に記載のウインドスクリーンにおいて、前記カバー部は、前記吸音部材が設けられた部分が前記マイクを覆う回動角度の場合に前記筐体を支持し、その支持状態では、その他の回転角度の場合に比べて、前記マイクを前記設置面からより離隔した位置に保持することを特徴とする。
【０００８】
請求項３記載の発明は、請求項１又は２に記載のウインドスクリーンにおいて、前記カバー部は、当該カバーを貫通して前記吸音部材に覆われていない第２の開口部を有し、前記カバー部は、その回動角度に応じて前記第２の開口部を有する部分によって前記マイクを覆うことを特徴とする。
【０００９】
請求項４記載の発明は、請求項１から３のいずれか一項に記載のウインドスクリーンにおいて、前記第１の開口部及び前記吸音部材は前記カバー部に複数設けられ、複数の前記吸音部材はそれぞれ吸音性能が異なる複数種類の吸音部材であり、前記カバー部は、その回動角度に応じて異なる種類の吸音部材が設けられた部分によって前記マイクを覆うことを特徴とする。
【００１０】
請求項５記載の発明は、請求項１から３のいずれか一項に記載のウインドスクリーンにおいて、前記マイクは、前記筐体の端部に設けられており、前記カバー部は、断面略Ｌ字状に折曲した形状を有し、当該カバー部の折曲方向に回動可能に前記筐体に取り付けられ、断面略Ｌ字状の一方の辺に前記吸音部材が設けられていることを特徴とする。
【発明の効果】
【００１１】
本発明によれば、より簡便に取り扱えて良好な吸音性能を得られるウインドスクリーンを提供することができる。
【発明を実施するための最良の形態】
【００１２】
（第１の実施形態）
以下、図を参照して本発明の実施の形態を詳細に説明する。まず、図１及至図６を用いて、本発明の第１の実施形態について説明する。
図１に、本発明の第１の実施形態であるウインドスクリーン２０を有するマイク付き録音装置１の斜視図を示す。以降の説明において、図１に示すマイク付き録音装置１の最長辺に沿った方向をＸ軸方向、最短辺に沿った方向をＺ軸方向、Ｘ軸方向及びＺ軸方向に沿った方向をＹ軸方向とする。
【００１３】
マイク付き音声装置１は、Ｘ軸方向の一端側にマイクを備えた筐体２と、当該マイクを外側から覆うウインドスクリーン２０と、を備える。
【００１４】
まず、筐体２及びマイクについて説明する。
図２に、ウインドスクリーン２０を除いたマイク付き録音装置１の構成を示す平面図を示す。図２（ａ）はＸ−Ｙ平面図、図２（ｂ）はウインドスクリーン２０が設けられた側のＹ−Ｚ平面図である。
図２に示すように、筐体２は角に丸みを帯びた直方体状であり、Ｘ軸方向の一端側にセンターマイク１１及び二つの側面マイク１２の計３つのマイクを備えている。
【００１５】
図示しないが、マイク付き録音装置１は３つのマイクを介して得られた音声を記憶（録音）する記憶装置、録音された音声を再生出力する出力装置及び出力インタフェース（例えばイヤフォンジャック等）ならびにマイク付き録音装置１による録音、再生等の各種処理を行う制御装置を筐体２内に備え、マイク付き録音装置１の各種動作を指示する入力装置を筐体２外周面に備える。つまり、マイク付き録音装置１は単独で録音を行うことができる機器である。
【００１６】
次に、ウインドスクリーン２０について説明する。
図３に、録音時のマイクとウインドスクリーン２０の位置関係を示す。図３に示すウインドスクリーン２０の回動角度は、図１に示すウインドスクリーン２０の回動角度である。
ウインドスクリーン２０は、カバー部２１と、吸音部材２２と、を備える。
図３に示すように、カバー部２１はＸ−Ｚ断面が略Ｌ字形状に折曲した部材であり、当該略Ｌ字形状によってマイクの外側を覆うよう設けられる。以降、カバー部２１の筐体２に面する側を内周面側、その反対の面を外周面側とする。
【００１７】
カバー部２１は、回動軸２３によって筐体２に対してカバー部２１の折曲方向に回動可能に軸支される。回動軸２３は、筐体２のＸ−Ｚ平面に沿った外周面（以下、Ｘ−Ｚ面）に設けられた凹部と、筐体２のＸ−Ｚ面と対向する位置に設けられたカバー部２１の側板２４の内周面側において凹部と対向する位置に設けられた凸部とが係合することでカバー部２１を筐体２に対して回動可能に軸支する。回動軸２３は、筐体２に対してカバー部２１を回動可能に軸支するものであればその具体的構造を問わず、例えば前述の凹部と凸部が逆の関係でもよいし、別部材による回動軸を設けてもよい。
【００１８】
吸音部材２２は、カバー部２１の略Ｌ字形状の長辺の内周面側に設けられる。カバー部２１は、内周面側と外周面側とを貫通する複数の開口部である穴２５を有し、吸音部材２２は内周面側から穴２５を覆うよう設けられる。吸音部材２２は、吸音性を有する素材（例えば発泡ウレタン等）からなり、穴２５を介して通過する風の流れを抑止する。なお、図１において、カバー部２１のＹ−Ｚ面上に記載された丸のうち一つに符号２５が付されているが、カバー部２１のＹ−Ｚ面上に記載された丸は全て穴２５である。
【００１９】
録音時、Ｘ軸方向について側面マイク１２およびセンターマイク１１と対向する位置に吸音部材２２が位置するようカバー部２１の回動角度を調節することで、マイクは吸音部材２２が設けられた部分によって覆われる。このとき、カバー部２１の外側からマイクに対して吹きつける風は、吸音部材２２によって大幅に緩和されるので、風が直接マイクに吹き付けることで生じる風切り音等のノイズが大幅に低減される。
【００２０】
マイクは、穴２５及び吸音部材２２を介してマイクに届いた空気の振動を音声として集音する。このとき、吸音部材２２はマイクに届く空気の振動の一部を緩和することがあるが、吸音部材２２の厚み及びマイクの感度を録音に支障をきたさない程度にすることでマイク付き録音装置１による録音を良好に行うことができる。
【００２１】
カバー部２１は、吸音部材２２がマイクを覆う回動角度のとき、筐体２のマイクが設けられていない側の一端部と共働でマイク付き録音装置１の設置面Ｇから離隔した位置にマイクを保持するよう筐体２を支持する。このとき、カバー部２１は非録音時等その他の回動角度よりも吸音部材２２がマイクを覆うときのカバー部２１の回動角度がよりマイクを設置面Ｇから離隔させる。つまり、ウインドスクリーン２０のカバー部２１はマイク付き録音装置１のスタンドとしても機能する。
図４に、カバー部２１及び筐体２に支持された状態のマイク付き録音装置１を示す。
図４に示すように、カバー部２１は、その略Ｌ字形状の長辺端側が設置面Ｇと当接することで、マイクが設けられた側の筐体２の一端側を設置面Ｇから離隔し、設置面Ｇに当接した筐体２の他端側に対してマイクが仰角を有するよう支持する。
【００２２】
非録音時にはＸ軸方向についてカバー部２１の短辺側が側面マイク１２およびセンターマイク１１と対向する位置となる回動角度にカバー部２１を回動させることで、マイクをカバー部２１の吸音部材２２が設けられていない部分によって覆うことができる。
図５に、非録音時のマイク付き録音装置１を示す。図６に、非録音時のマイクとウインドスクリーン２０の位置関係を示す。
図５、図６に示すように、非録音時には、マイクをカバー部２１の略Ｌ字形状の短辺側によって覆うようカバー部２１を回動させることができる。
【００２３】
なお、筐体２に対するカバー部２１の回動角度を録音時、非録音時で保持するための構成を設けてもよい。例えば、カバー部２１を録音時又は非録音時の回動角度としたときに、側板２４と筐体２とが係合する凸凹部を側板２４、筐体２に設ける等の構成が挙げられる。この場合、カバー部２１が前述の録音時又は非録音時の回動角度とされたとき、側板２４に設けられた凸部（又は凹部）が筐体２のＸ−Ｚ面に設けられた凹部（又は凸部）と係合し、筐体２に対するカバー部２１の回動角度が保持される。
【００２４】
以上、第１の実施形態によれば、カバー部２１は、その回動角度に応じて吸音部材２２が設けられた長辺側又は吸音部材２２が設けられていない短辺側の少なくともいずれか一方によってマイクを覆う。つまり、録音時にマイクの外側が吸音部材２２に覆われるようにすることで、カバー部２１の外側からマイクに対して吹きつける風が吸音部材２２によって大幅に緩和されるので、風が直接マイクに吹き付けることで生じる風切り音等のノイズを大幅に低減することができる。一方、非録音時にマイクの外側がカバー部２１のうち穴２５を有しない短辺側で覆われるようにすることで、マイクの外部に対する露出を防ぐことができ、不慮によりマイクが設けられた側のマイク付き録音装置１の端部を他の構造物と当接又は衝突させたとしてもマイクが当該当接、衝突によって損傷することを防ぐことができる。
【００２５】
さらに、カバー部２１は吸音部材２２がマイクを覆う回動角度のとき、設置面Ｇに載置された筐体２を支持する。即ち、ウインドスクリーン２０は、風切り音等のノイズが録音されることを抑止すると共に、マイク付録音装置１を支持するスタンドとしても機能する。
【００２６】
さらに、カバー部２１は、吸音部材２２が設けられた部分がマイクを覆う回動角度の場合に筐体２を支持し、その支持状態では、非録音時の回動角度等その他の回転角度の場合に比べて、マイクを設置面Ｇからより離隔した位置に保持する。これによって、マイクは設置面Ｇに当接した筐体２の他端側に対してマイクが仰角を有するよう支持されるので、録音対象の音源が設置面Ｇより上方に位置する場合にマイクを音源に向けて設置することが容易となる。
【００２７】
（第２の実施形態）
次に、第１の実施形態とは異なる本発明の第２の実施形態について図７及至図８を用いて説明する。第１の実施形態と同様の構成については、同じ符号を付して説明を省略する。
図７に第２の実施形態によるウインドスクリーン３０を示す。図７（ａ）はカバー部の外周側から見た場合のＹ−Ｚ平面図、図７（ｂ）はＸ−Ｚ平面に沿った断面図である。
第２の実施形態によるウインドスクリーン３０のカバー部３１には、その略Ｌ字形状の短辺側においてカバー部３１の内周側と外周側とを貫通するよう設けられた開口部である穴３２を有する。穴３２は長辺側に設けられた穴２５と異なり、吸音部材２２によって塞がれていない。カバー部３１は、穴３２を有する点を除きカバー部２１と同様の構成を有する。
【００２８】
図７（ｂ）に示すように、録音時にＸ軸方向について側面マイク１２およびセンターマイク１１と対抗する位置にカバー部３１の短辺側が位置する場合、マイクは穴３２を介して届いた音声を録音する。このとき、穴３２は吸音部材２２によって塞がれていないので、マイク付き録音装置１は吸音部材２２による音声の減衰等を伴わないクリアな音声を録音することができる。
【００２９】
図８に、第２の実施形態によるウインドスクリーン３０を備えたマイク付き録音装置１において吸音部材２２を用いる際のマイクとウインドスクリーンの位置関係を示す。
一方、第１の実施形態と同様に、カバー部３１の略Ｌ字形状の長辺側は穴２５及び吸音部材２２を有する。屋外での録音等、マイクに対して風が吹き付ける環境下での録音時には図８に示すようにＸ軸方向について側面マイク１２およびセンターマイク１１と対抗する位置にカバー部３１の長辺側が位置するようにすることで吸音部材２２により風切り音等のノイズを抑止することができる。
【００３０】
第２の実施形態によれば、カバー部３１は、第１の実施形態と同様にカバー部２１の回動角度に応じてマイクの外側を吸音部材２２で覆うことができると共に、穴３２を有する短辺側によって前記マイクを覆うことができる。即ち、マイク付き録音装置１の使用者は録音時にマイクを吸音部材２２で覆うか否かをカバー部２１の回動角度に応じて選択できる。
【００３１】
（第３の実施形態）
次に、第１の実施形態及び第２の実施形態とは異なる本発明の第３の実施形態について図９を用いて説明する。第１の実施形態、第２の実施形態と同様の構成については、同じ符号を付して説明を省略する。
図９に第３の実施形態によるウインドスクリーン４０を示す。
ウインドスクリーン４０のカバー部４１は、長辺側及び短辺側にそれぞれカバー部の内周側と外周側とを貫通する開口部である穴４２を有すると共に、穴４２の内周側を塞ぐように設けられた吸音部材４３、４４を有する。吸音部材４３と吸音部材４４は、その吸音性能を異にする。具体的には、吸音部材４３と吸音部材４４はその素材が異なるか、又は同一の素材であって厚みが異なる等の差異を有し、その差異によって吸音性能を異にする。つまり、第３の実施形態によるウインドスクリーン４０は、その回動角度によってマイクを覆う吸音部材を吸音部材４３又は吸音部材４４のいずれか一方とすることができる。録音時には、使用したい吸音部材がＸ軸方向について側面マイク１２およびセンターマイク１１と対抗する位置となるようカバー部４１の回動角度を調節すればよい。
【００３２】
第３の実施形態によれば、カバー部４１は、その回動角度に応じて異なる種類の吸音部材４３，４４が設けられた部分によってマイクを覆うことができる。これによって、マイク付き録音装置１の使用者は録音時の環境条件に応じた吸音部材を選択利用することができる。例えば、風が強い状況下においては厚みが厚く吸音性能が高い吸音部材によって風切り音等のノイズをより大幅に抑止し、風が弱い又はほとんどない状況下においては厚みが薄くマイクに届く音声の減衰が小さい吸音部材を用いる等が挙げられる。
【００３３】
なお、本発明の実施形態は、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３４】
例えば、開口部及び当該開口部を内側から覆う吸音部材をカバー部の略Ｌ字形状部分から側板にかけて設けるようにしてもよい。これによって、側面マイク１２がより良好に音声を集音することができる。
また、前述の各実施形態はマイク付き録音装置のウインドスクリーンであるが、録音機能等を有さないマイクのウインドスクリーンとして用いてもよい。マイクの数は３つに限らず、任意の数でよい。
【００３５】
また、前述の第１〜３の実施形態では、ウインドスクリーンの回動角度を二通り（録音時／非録音時や吸音部材の利用有無、二種の吸音部材の使い分け等）としているが、三通り以上の回動角度を設けられるようにしてもよい。例えば、第１の実施形態におけるウインドスクリーン２０の録音時の回転角度と非録音時の回転角度との間に第三の回転角度を設け、吸音部材を有しない開口部（穴等）が設けられた部分でマイクを覆うことができるようにしてもよい。
【００３６】
また、前述の第１〜３の実施形態では、開口部は複数の穴であり、複数の穴を一つの吸音部材が覆っているが、穴の大きさや数は問わない。例えばカバー部の一面の大部分に連続した開口部を設け、その開口部を吸音部材で覆ってもよいし、スリット形状の開口部を設けてもよい。また、複数の穴のそれぞれを個別の吸音部材で覆ってもよい。吸音部材は開口部を覆うことができればその配置は問わない。例えば開口部の内側に限らず、外側に設けてもよいし、開口部の両側を覆ってもよい。吸音部材が開口部内に介在してもよい。
【図面の簡単な説明】
【００３７】
【図１】本発明の第１の実施形態であるウインドスクリーン２０を有するマイク付き録音装置１の斜視図を示す。
【図２】ウインドスクリーンを除いたマイク付き録音装置１の構成を示す平面図を示す。図２（ａ）はＸ−Ｙ平面図、図２（ｂ）はウインドスクリーンが設けられた側のＹ−Ｚ平面図である。
【図３】録音時のマイクとウインドスクリーンの位置関係を示す。
【図４】カバー部２１及び筐体２に支持された状態のマイク付き録音装置を示す。
【図５】非録音時のマイク付き録音装置を示す。
【図６】非録音時のマイクとウインドスクリーンの位置関係を示す。
【図７】第２の実施形態によるウインドスクリーン３０を示す。図７（ａ）はカバー部の外周側から見た場合のＹ−Ｚ平面図、図７（ｂ）はＸ−Ｚ平面に沿った断面図である。
【図８】第２の実施形態によるウインドスクリーン３０を備えたマイク付き録音装置１において吸音部材２２を用いる際のマイクとウインドスクリーンの位置関係を示す。
【図９】第３の実施形態によるウインドスクリーン４０を示す。
【符号の説明】
【００３８】
２    筐体
１１    センターマイク
１２    側面マイク
２０    ウインドスクリーン
２１    カバー部
２２    吸音部材
２３    回動軸
２５    開口部
【図１】
2010124288.tif 000003
【図２】
2010124288.tif 000004
【図３】
2010124288.tif 000005
【図４】
2010124288.tif 000006
【図５】
2010124288.tif 000007
【図６】
2010124288.tif 000008
【図７】
2010124288.tif 000009
【図８】
2010124288.tif 000010
【図９】
2010124288.tif 000011